(57)【要約】      （修正有）【課題】昇降路の水平面積に応じてかごの奥行き寸法を変更することができるエレベータ装置を提供する。【解決手段】前面が開放された箱体である定型モジュール箱部１と、その前面に形成され、かご３の開口部１１０を形成する可変モジュール部２とからなるかご３を有するエレベータ装置であって、定型モジュール箱部１の天井板１０１と床板１０２とが定型モジュール箱部１の前方に、かご３の最大寸法まで予め突出形成されてなり、可変モジュール部２はかご３の開口部１１０の両端に位置し、定型モジュール箱部１の天井板１０１と床板１０２間に着設される柱体２１と、該柱体２１と前記定型モジュール箱部１の側板１０３の先端間を閉塞する薄側板２２とからなり、かご３の所定寸法に応じて定型モジュール箱部１の天井板１０１と床板１０２との前端部を切除するとともに、薄側板２２の寸法を調整してなるエレベータ装置とする。【選択図】図１
2006176218.tif 000002
【特許請求の範囲】
【請求項１】
天井板、床板、側板、後板で構成される前面が開放された箱体の定型モジュール箱部と、定型モジュール箱部の前面に形成され、エレベータかごの開口部を形成する可変モジュール部とからなるエレベータかごを有するエレベータ装置であって、前記定型モジュール箱部の天井板と床板とが定型モジュール箱部の前方にエレベータかごの最大寸法まで予め突出形成されてなり、前記可変モジュール部はエレベータかごの開口部の両端に位置し、定型モジュール箱部の天井板と床板間に着設される柱体と、該柱体と前記定型モジュール箱部の側板先端間を閉塞する薄側板とからなり、エレベータかごの所定寸法に応じて定型モジュール箱部の天井板と床板との前端部を切除するとともに、薄側板の寸法を調整してなるエレベータ装置。
【請求項２】
薄側板は柱体の内側面に接するように設けられ、該薄側板の柱体から前方に突出した部分を除去することで寸法調整することを特徴とする請求項１記載のエレベータ装置。
【請求項３】
薄側板に定型モジュール箱部の側板先端面と係合する係合部を形成したことを特徴とする請求項１または請求項２記載のエレベータ装置。
【発明の詳細な説明】
【技術分野】
【０００１】
本発明は、一般住宅や集合住宅に用いられるエレベータ装置に関するものである。
【背景技術】
【０００２】
従来から、エレベータ装置が一般住宅や集合住宅に用いられ、主に高齢者の利用者の住宅内での上下階の移動に利用されている。これらは駆動手段により、油圧式のもの、ロープ式のものなどが用いられている。
【０００３】
一方、設置可能面積が限られる場合には、エレベータかごの大きさを小さくすることで狭小地にも設置可能なようにしていたが、エレベータかご自体が大きさの決まったものであり、寸法の調整が効かないものが殆どで、例えばエレベータ装置の設置面積が標準より広く取れる場合でも、エレベータかご即ち利用者の居住性に反映することが難しかった。
【０００４】
なお、特許文献１などに、エレベータかごの奥行き寸法を、組立誤差の吸収のために若干変更できるようにしたものが示されてはいるが、昇降路の水平面積を広く取れるときにエレベータかごの寸法をそれに合わせて変更可能なようにしたものでは無かった。
【特許文献１】特開２００２−２２６１５９号公報
【発明の開示】
【発明が解決しようとする課題】
【０００５】
本願発明は、上記背景技術に鑑みて発明されたものであり、その課題は、昇降路の水平面積に応じてエレベータかごの奥行き寸法を変更することができるエレベータ装置を提供することである。
【課題を解決するための手段】
【０００６】
上記課題を解決するために、本願発明の請求項１にかかる発明では、天井板、床板、側板、後板で構成される前面が開放された箱体の定型モジュール箱部と、定型モジュール箱部の前面に形成され、エレベータかごの開口部を形成する可変モジュール部とからなるエレベータかごを有するエレベータ装置であって、前記定型モジュール箱部の天井板と床板とが定型モジュール箱部の前方にエレベータかごの最大寸法まで予め突出形成されてなり、前記可変モジュール部はエレベータかごの開口部の両端に位置し、定型モジュール箱部の天井板と床板間に着設される柱体と、該柱体と前記定型モジュール箱部の側板先端間を閉塞する薄側板とからなり、エレベータかごの所定寸法に応じて定型モジュール箱部の天井板と床板との前端部を切除するとともに、薄側板の寸法を調整してなるエレベータ装置としている。
【０００７】
また請求項２にかかる発明では上記発明において、薄側板は柱体の内側面に接するように設けられ、該薄側板の柱体から前方に突出した部分を除去することで寸法調整することを特徴としている。
【０００８】
また請求項３にかかる発明では上記発明において、薄側板に定型モジュール箱部の側板先端面と係合する係合部を形成したことを特徴としている。
【発明の効果】
【０００９】
本願発明の請求項１にかかるエレベータ装置においては、設置可能な最大奥行き寸法の昇降路サイズに合わせて、予め天井板と床板とを突出させてある定型モジュール箱部と、定型モジュール箱部の前面に形成され、エレベータかごの開口部を形成する可変モジュール部とからなるエレベータかごを有し、最大サイズから昇降路の奥行きが狭くなったときは、突出部分の天井板と床板とを短くし、それに合わせて可変モジュール部の薄側板を寸法調整することで対応することができる。
【００１０】
また、請求項２にかかるエレベータ装置においては、上記に加えさらに、薄側板が柱体の内側面に沿って設けられているので、寸法調整した後の薄側板の端部の仕舞いを美麗にすることができる。
【００１１】
また、請求項３にかかるエレベータ装置においては、上記に加えさらに、薄側板の定型モジュール箱部への固定を容易にすることができる。
【発明を実施するための最良の形態】
【００１２】
本願発明の最良の形態を図１〜図４に示される以下の実施例にて説明する。
【００１３】
本実施例では、天井板１０１、床板１０２、側板１０３、後板１０４で構成される前面が開放された箱体である定型モジュール箱部１と、定型モジュール箱部１の前面に形成され、エレベータかご３の開口部１１０を形成する可変モジュール部２とからなるエレベータかご３を有するエレベータ装置１１であって、前記定型モジュール箱部１の天井板１０１と床板１０２とが定型モジュール箱部１の前方に、エレベータかご３の最大寸法まで予め突出形成されてなり、前記可変モジュール部２はエレベータかご３の開口部１１０の両端に位置し、定型モジュール箱部１の天井板１０１と床板１０２間に着設される柱体２１と、該柱体２１と前記定型モジュール箱部１の側板１０３の先端間を閉塞する薄側板２２とからなり、エレベータかご３の所定寸法に応じて定型モジュール箱部１の天井板１０１と床板１０２との前端部を切除するとともに、薄側板２２の寸法を調整してなるエレベータ装置１１としている。
【００１４】
また薄側板２２は柱体２１の内側面に接するように設けられ、該薄側板２２の柱体２１から前方に突出した部分を除去することで寸法調整し、さらに該薄側板２２に定型モジュール箱部１の側板１０３の先端面と係合する係合部２３を形成している。
【００１５】
そしてエレベータかご３を構成する定型モジュール箱部１は、天井板１０１、床板１０２、側板１０３、後板１０４それぞれが木製のパネルを用いていて、ここでは軽量化のためフラッシュ構造のパネルを、天井板１０１及び床板１０２以外は、用いている。なお、床板１０２は後述のプラットホーム７の載置面上に直接、居室などに貼られるのと同じ床材を用いている。また天井板１０１は、点検などで作業員がエレベータかご３の天井に乗ることも考えられるので、フラッシュ構造をとっていない。
【００１６】
このようにフラッシュ構造のパネルを用いた場合には、所定寸法からパネル寸法を減ずるなどの寸法変更が、その構造ゆえ難しい。そのため本発明では、側板１０３の寸法を、所定の最長寸法とせず、昇降路寸法の変更に応じ対応可能とする最短の寸法とし、フラッシュ構造のパネルを直接切断をするのではなく、フラッシュ構造の側板１０３の前方の、開口部側に延設し設けられる可変モジュール部２で寸法調整をしている。このようにすることで、フラッシュ構造の軽量パネルを用いながらも、エレベータかご３の寸法変化を容易にすることができる。
【００１７】
図４には、本実施例のエレベータ装置１１全体を示している。なお、便宜上油圧式エレベータの例を示しているが、ロープ式などその他の駆動装置であってもかまわない。
【００１８】
本実施例のエレベータ装置１１は、その内部構成を示すように、家屋の内部に上下に亘って貫通し設けられる昇降路５に、それぞれの着床階ごとに設けられる乗り場に乗り場扉装置９を設けている。また、昇降路５の底面は、最下部の着床位置よりも深い位置に形成され、そして該底面には、少なくともエレベータかご３を昇降させるジャッキ６と、エレベータかご３の走行を補助するガイドレール８とが垂設されている。このジャッキ６は、多段式のものを用いると共に、先端は、エレベータかご３を載置するプラットホーム７の上端部分に係合されている。なお、エレベータかご３は、先述のようにかご扉装置１０が設けられている。そしてエレベータかご３が最低位置に着床したとき（図では１Ｆ部分）、ちょうどジャッキ６が最短状態になるようにされている。なお、エレベータ装置１１にはその他色々な装備、装置が備わっているが、簡略化し図示していない。
【００１９】
ここで可変モジュール部２の構成は、特に図３に平面図で示すように、柱体２１と薄側板２２とで構成され、柱体２１の上端及び下端とにはネジ孔２６がそれぞれ設けられ、床板１０２と天井板１０１とにそれぞれ設けられる貫通孔１１１を通してネジ体１１２で固定される。なお、柱体２１は木製でも金属製でもよいが、エレベータかご３の開口部分の構造体として用いられるので、所定の強度を有する材質を選択する。
【００２０】
そして薄側板２２は鋼板製の薄板で、表面に化粧シートを貼着したものを用いる。そして該薄側板２２の後端部に係合部２３が、薄側板２２の先端部分を折り曲げ上下に亘って形成されるとともに、前方側が柱体２１の内側面とネジ体１１２を用いて係合し、エレベータかご３の開口部１１０を形成している。そして寸法調整をする場合には、柱体２１から前方に突出している薄側板２２を、突出部分を切除したり、柱体２１に沿って変形させたりするなどして、柱体２１の内側面と係合させる。また該薄側板２２は、柱体２１との係合部分から側板１０３側に向かって直線状に形成された後、側板１０３の前端面に向かうように斜めに折り曲げられ、エレベータかご３内への出入りの際に、邪魔になりにくくされている。そして薄側板２２の前端、後端は短く折り曲げられ係合片２４，２５が形成されていて、薄側板２２を柱体２１などに固定する際の位置決めをしやすくしている。
【００２１】
こうして形成されるエレベータかご３は、図１に分解斜視図として示されるように、天井板１０１、床板１０２、側板１０３、後板１０４とをネジ体１１２を用いて組み立てられている定型モジュール箱部１の前面に、前述の可変モジュール部２を設けている。図示したように、これらはそれぞれがネジ体１１２で固定されているので、昇降路５内にそれぞれを持ち込み、順に組み立てることが可能である。なお、一方側の側板１０３には、開口が設けられ、同所に、いわゆるニッチ１０５が突出形成され、その内側部分にエレベータ操作盤１０７が設けられている。また、ニッチ１０５の下端は前方、つまりエレベータかご３内に突出するように手摺板部１０６設けられ、簡易手摺として用いられる。
【００２２】
なお、エレベータかご３を構成するのは、上記以外にも、見切り部分を被装する見切り材や、家屋内装の意匠に合わせるように、例えば腰壁状に仕上げることなどがされる。図１ではニッチ１０５の下端に合わせるように、その下側部分が腰壁を用いて化粧されている。また天井板１０１には、エレベータかご３内の照明を固定するための孔部１０８が形成されている。
【００２３】
また、図１ではエレベータかご３のみを示しているが、実際には、開口部１１０にはかご扉装置１０が設けられ、着床時に乗り場扉装置９と連動し、利用者が出入りできるようになされる。またかご扉装置１０は上吊り引戸形式のものが用いられるが、扉板が前後に振れないように、扉板の下端を係合する、地レールと呼ばれる敷居状の板材を、定型モジュール箱部１の床板１０２前端から段落ち状に突出形成されている地レール保持部４上に設けられる。なおこの地レール保持部４は、床板１０２と一体ではなく、別体で、後述の定型モジュール箱部１の寸法調整時には、いったん取り外され、寸法調整後に元に戻される。なお、床板１０２に直接固定される場合、エレベータかご３を載置する部材（プラットホーム７など）に固定される場合などの種々の固定構造がとられる。
【００２４】
次にエレベータかご３を所定の形状にする手順を、図２をもとに説明する。
【００２５】
図２では、定型モジュール箱部１が、点線部分（符番１０９）で示される箇所で切断され（ａ）、貫通孔１１１を形成し、地レール保持部４を固定し、可変モジュール部２を床板１０２にそれぞれ固定すること（ｂ）を示している。なお、この場合予め可変モジュール部２の薄側板２２は寸法調整されている。なお、エレベータかご３自体は、側板１０３、天井板１０１など各部分に分かれていて、昇降路５内にそれぞれの部材を持ち込み、組み立てられるため、天井板１０１、床板１０２など寸法調整が必要なものは、予め寸法調整を行った後、昇降路５内に持ち込まれる。これは、昇降路５自体のスペースに余裕が無く、また、エレベータかご３を組立状態で直接昇降路５内に持ち込むには、家屋側に大きな開口を形成しなくてはならず、工事の段取りなど、家屋側工事への負担が大きいためである。
【図面の簡単な説明】
【００２６】
【図１】本願発明の一実施例であるエレベータ装置に用いられるエレベータかごの分解斜視図である。
【図２】同、エレベータかごの寸法調整の状況を示した概略図である。
【図３】同、エレベータかごに用いられる可変モジュール部の構成を示した平面図である。
【図４】同、エレベータ装置の概要を示した側面図である。
【符号の説明】
【００２７】
１  定型モジュール箱部
１０１  天井板
１０２  床板
１０３  側板
１０４  後板
１０５  ニッチ
１０６  手摺板部
１０７  エレベータ操作盤
１１０  開口部
１１１  貫通孔
１１２  ネジ体
２  可変モジュール部
２１  柱体
２２  薄側板
２３  係合部
２６  ネジ孔
３  エレベータかご
４  地レール保持部
５  昇降路
６  ジャッキ
７  プラットホーム
８  ガイドレール
９  乗り場扉装置
１０  かご扉装置
１１  エレベータ装置
【図１】
2006176218.tif 000003
【図２】
2006176218.tif 000004
【図３】
2006176218.tif 000005
【図４】
2006176218.tif 000006